(57)【要約】【課題】複数の板状のパーツの取り付け構造を工夫することで、様々な表情やポーズを表現できるようにする。【解決手段】胴体パーツ２０には、胴体パーツ２０の上縁部から背面側に折り返されてなる折り返し部２２が一体形成されている。胴体パーツ２０と折り返し部２２との境界部分における左右方向の略中央位置には、スリット２３が形成されている。頭パーツ３０の首部３２は、スリット２３に差し込まれることで、胴体パーツ２０と折り返し部２２との間で左右方向に揺動可能に挟持されている。【選択図】図２０
2018064693.tif 000002
【特許請求の範囲】
【請求項１】
ダンボールで構成された人体を模した複数の板状のパーツが組み合わされたダンボール製マネキンであって、
胴体部分を構成する胴体パーツと、
頭部分を構成する頭パーツとを備え、
前記胴体パーツには、該胴体パーツの上縁部から正面側又は背面側に折り返されてなる折り返し部が一体形成され、
前記胴体パーツと前記折り返し部との境界部分における左右方向の略中央位置には、スリットが形成され、
前記頭パーツの首部は、前記スリットに差し込まれることで、前記胴体パーツと前記折り返し部との間で左右方向に揺動可能に挟持されていることを特徴とするダンボール製マネキン。
【請求項２】
請求項１において、
上肢部分を構成する上肢パーツと、
前記胴体パーツと前記折り返し部との間に配置された前記上肢パーツを、該胴体パーツ及び該折り返し部とともに挟持するとともに、該上肢パーツを回動可能に支持する関節部材とを備えたことを特徴とするダンボール製マネキン。
【請求項３】
請求項１又は２において、
前記胴体パーツの腰部に取り付けられる大腿パーツと、該大腿パーツの下端部に取り付けられる下腿パーツと、該下腿パーツの下端部に取り付けられる足パーツとを有して、下肢部分を構成する下肢パーツと、
前記下腿パーツと前記足パーツとを挟持するとともに、左右方向に回動可能に支持する関節部材とを備え、
前記足パーツは、前記下腿パーツの一部が折り曲げられることで上下方向に揺動可能となっていることを特徴とするダンボール製マネキン。
【発明の詳細な説明】
【技術分野】
【０００１】
本発明は、ダンボール製マネキンに関するものである。
【背景技術】
【０００２】
従来より、人体を複数の板状部材によって構成し、これらの板状部材を人体に纏めて支柱に支持するようにしたボードマネキンが知られている（例えば、特許文献１参照）。
【０００３】
特許文献１には、板状部材の一つを、肩部、胴部及び上肢部を有した本体部材として、本体部材の首部に対して、頭部材を嵌合自在とした構成が開示されている。これにより、頭部材を、男性用や女性用、そして種々な表情をしたものと交換可能としている。
【先行技術文献】
【特許文献】
【０００４】
【特許文献１】実用新案登録第３１６４７４６号公報
【発明の概要】
【発明が解決しようとする課題】
【０００５】
ところで、特許文献１の発明では、本体部材、下肢部材及び頭部材は、低発泡ポリスチレン樹脂材料から切り出して板状部材として形成したものであり、自由に折り曲げたり取り外したりすることができない。
【０００６】
例えば、首部は、本体部材に一体形成されているので、首部のみを本体部材に対して左右方向に傾けて首をかしげたような表情を表現することができないという問題がある。
【０００７】
本発明は、かかる点に鑑みてなされたものであり、その目的は、複数の板状のパーツの取り付け構造を工夫することで、様々な表情やポーズを表現できるようにすることにある。
【課題を解決するための手段】
【０００８】
本発明は、ダンボールで構成された人体を模した複数の板状のパーツが組み合わされたダンボール製マネキンを対象とし、次のような解決手段を講じた。
【０００９】
すなわち、第１の発明は、胴体部分を構成する胴体パーツと、
頭部分を構成する頭パーツとを備え、
前記胴体パーツには、該胴体パーツの上縁部から正面側又は背面側に折り返されてなる折り返し部が一体形成され、
前記胴体パーツと前記折り返し部との境界部分における左右方向の略中央位置には、スリットが形成され、
前記頭パーツの首部は、前記スリットに差し込まれることで、前記胴体パーツと前記折り返し部との間で左右方向に揺動可能に挟持されていることを特徴とするものである。
【００１０】
第１の発明では、胴体パーツと折り返し部との境界部分にスリットを形成し、頭パーツの首部をスリットに差し込むことで、左右方向に揺動可能に挟持するようにした。これにより、頭パーツを左右方向に傾けることで、首をかしげたような表情の他、人間の様々な表情や仕草などを表現することができる。
【００１１】
また、胴体パーツと折り返し部とが正面視で重なり合っているから、肩部周辺の剛性を高めることができる。
【００１２】
また、頭パーツは、ダンボールで構成されているから、頭パーツに任意の顔をプリントすることで、様々な表情を表現することができる。
【００１３】
第２の発明は、請求項１において、
上肢部分を構成する上肢パーツと、
前記胴体パーツと前記折り返し部との間に配置された前記上肢パーツを、該胴体パーツ及び該折り返し部とともに挟持するとともに、該上肢パーツを回動可能に支持する関節部材とを備えたことを特徴とするものである。
【００１４】
第２の発明では、胴体パーツと折り返し部との間に配置された上肢パーツを、胴体パーツ及び折り返し部とともに関節部材で挟持している。これにより、頭パーツの首部をスリットに差し込んだときに、胴体パーツと折り返し部との間で首部が挟み込まれて保持されるので、頭パーツを固定するための部品を別途設ける必要が無い。また、頭パーツの首部を自由に傾けるとともに、任意の傾斜角度のまま頭パーツを保持することができる。
【００１５】
第３の発明は、請求項１又は２において、
前記胴体パーツの腰部に取り付けられる大腿パーツと、該大腿パーツの下端部に取り付けられる下腿パーツと、該下腿パーツの下端部に取り付けられる足パーツとを有して、下肢部分を構成する下肢パーツと、
前記下腿パーツと前記足パーツとを挟持するとともに、左右方向に回動可能に支持する関節部材とを備え、
前記足パーツは、前記下腿パーツの一部が折り曲げられることで上下方向に揺動可能となっていることを特徴とするものである。
【００１６】
第３の発明では、足パーツは、関節部材によって左右方向に回動可能に支持されるとともに、下腿パーツの一部を折り曲げることで上下方向に揺動可能となっている。これにより、足パーツに靴を履かせた状態で、足パーツを左右方向や上下方向に動かすことで、靴を自由な方向に向けて展示することができる。
【発明の効果】
【００１７】
本発明によれば、胴体パーツと折り返し部との境界部分にスリットを形成し、頭パーツの首部をスリットに差し込むことで、左右方向に揺動可能に挟持するようにしたから、頭パーツを左右方向に傾けることで、首をかしげたような表情の他、人間の様々な表情や仕草などを表現することができる。
【図面の簡単な説明】
【００１８】
【図１】本実施形態１に係るダンボール製マネキンの構成を示す正面図である。
【図２】手パーツ及び前腕パーツの関節部材の構成を示す正面図である。
【図３】手パーツ及び前腕パーツの関節部材の構成を示す平面図である。
【図４】関節部材の構成を示す斜視図である。
【図５】関節部材の分解斜視図である。
【図６】関節部材の構成要素を分解して示す平面断面図である。
【図７】関節部材の構成を示す平面断面図である。
【図８】土台の構成を示す平面図である。
【図９】土台の構成を一部断面で示す側面図である。
【図１０】ダンボール板の中芯の延伸方向を示す斜視図である。
【図１１】底板及び支持脚の構成を示す側面断面図である。
【図１２】底板、支持脚、筒状体、及び補強部材の構成を示す側面断面図である。
【図１３】足パーツ及び下腿パーツの構成を示す正面図である。
【図１４】足パーツ及び下腿パーツの構成を示す側面断面図である。
【図１５】足パーツを上下方向に揺動させた状態を示す側面断面図である。
【図１６】足パーツを左右方向に回動させた状態を示す正面図である。
【図１７】胴体パーツの折り返し部及び頭パーツの構成を示す背面図である。
【図１８】頭パーツを胴体パーツのスリットに差し込むときの状態を示す背面図である。
【図１９】頭パーツを胴体パーツのスリットに差し込んだ状態を示す平面図である。
【図２０】頭パーツを左右方向に揺動させた状態を示す背面図である。
【図２１】胴体パーツの腰部周辺の構成を示す正面図である。
【図２２】支柱受け部材の展開図である。
【図２３】支柱受け部材の構成を示す平面断面図である。
【図２４】支柱受け部材の構成を示す背面図である。
【図２５】運搬ケースの構成を示す平面図である。
【図２６】本実施形態２に係る胴体パーツ、頭パーツ、及び支柱受け部材の展開図である。
【図２７】頭パーツ及び支柱受け部材を胴体パーツに取り付けた状態を示す背面図である。
【発明を実施するための形態】
【００１９】
以下、本発明の実施形態を図面に基づいて説明する。なお、以下の好ましい実施形態の説明は、本質的に例示に過ぎず、本発明、その適用物或いはその用途を制限することを意図するものではない。各図には、前後左右の方向を矢印で示してある。特に言及しない限り、前後左右の方向についてはこれら矢印で示す方向に従って説明する。
【００２０】
《実施形態１》
〈全体構成〉
図１に示すように、ダンボール製マネキン１０は、ダンボールで構成された人体を模した複数の板状のパーツが組み合わされ、支柱１５によって立設姿勢となるように支持されている。
【００２１】
ダンボール製マネキン１０は、主に、胴体部分を構成する胴体パーツ２０と、頭部分を構成する頭パーツ３０と、上肢部分を構成する上肢パーツ３５と、下肢部分を構成する下肢パーツ４０とを有する。
【００２２】
胴体パーツ２０の肩部２１には、上肢パーツ３５が取り付けられている。胴体パーツ２０の腰部２５には、下肢パーツ４０が取り付けられている。支柱１５の上端部は、胴体パーツ２０の腰部２５の背面側に取り付けられている。支柱１５の下端部は、土台６０に保持されている。
【００２３】
上肢パーツ３５は、上腕部分を構成する上腕パーツ３６と、前腕部分を構成する前腕パーツ３７と、手部分を構成する手パーツ３８とを有する。上腕パーツ３６の基端部は、関節部材５０を介して胴体パーツ２０の肩部２１に回動可能に支持されている。前腕パーツ３７の基端部は、関節部材５０を介して上腕パーツ３６の先端部に回動可能に支持されている。手パーツ３８の基端部は、関節部材５０を介して前腕パーツ３７の先端部に回動可能に支持されている。
【００２４】
下肢パーツ４０は、大腿部分を構成する大腿パーツ４１と、下腿部分を構成する下腿パーツ４２と、足部分を構成する足パーツ４３とを有する。大腿パーツ４１の基端部は、関節部材５０を介して胴体パーツ２０の腰部２５に回動可能に支持されている。下腿パーツ４２の基端部は、関節部材５０を介して大腿パーツ４１の先端部に回動可能に支持されている。足パーツ４３の基端部は、関節部材５０を介して下腿パーツ４２の先端部に回動可能に支持されている。
【００２５】
ダンボール製マネキン１０には、シャツ１を着せたり、ズボン２や靴３を履かせることで、商品の展示を行うことができる。また、頭パーツ３０の顔部３１の耳周辺に孔をあけておけば、眼鏡４やサングラスを着用することもできる。また、頭パーツ３０の頭部に帽子５を被せてもよい。このように、シャツ１やズボン２以外にも様々なアイテムをダンボール製マネキン１０に装着することで、ディスプレイの表現の幅を広げることができる。
【００２６】
〈関節部材について〉
図２及び図３に示すように、手パーツ３８と前腕パーツ３７とは、関節部材５０によって厚み方向に挟持されている。そして、手パーツ３８と前腕パーツ３７には、関節部材５０の締結ボルト５８が挿通される関節孔１１が形成されており、手パーツ３８は、締結ボルト５８を中心に回動可能に支持されている。
【００２７】
なお、図２及び図３では、手パーツ３８と前腕パーツ３７とを関節部材５０で取り付けた構成について説明しているが、その他の各パーツについても同様の取り付け構成となっているため、説明を省略する。
【００２８】
ここで、関節部材５０は、手パーツ３８と前腕パーツ３７とを厚み方向の両側から挟み込んで保持するものであり、締結ボルト５８の締め付け量を緩めることで、手パーツ３８の傾斜角度を可変とする一方、締結ボルト５８の締め付け量を強くすることで、手パーツ３８を所定の傾斜角度で保持できるようにしている。
【００２９】
図４〜図７に示すように、関節部材５０は、各パーツを厚み方向の両側から挟み込む一対の挟持部材５１と、一方の挟持部材５１に埋め込まれた締結ボルト５８と、他方の挟持部材５１に埋め込まれた締結ナット５９とを有する。
【００３０】
挟持部材５１は、各パーツに接触する円形状のスペーサ部５２と、スペーサ部５２に取り付けられてユーザーが把持する把持部５６とを有する。ユーザーは、把持部５６を回すことで、関節部材５０の締結ボルト５８の締め付け量を調整できるようになっている。
【００３１】
図５にも示すように、スペーサ部５２の外周縁部には、外周壁５３が立設している。外周壁５３は、図５で上方に向かうほどスペーサ部５２の中心位置に向かうように先細のテーパー状に形成されている。
【００３２】
スペーサ部５２の中心部には、挿通孔５２ａが形成されている。挿通孔５２ａの周辺には、締結ボルト５８又は締結ナット５９の頭部が嵌め込まれる嵌込凸部５４が設けられている。本実施形態では、締結ボルト５８は六角ボルトで構成され、締結ナット５９は六角ナットで構成されているので、嵌込凸部５４は、六角形状に形成されている。スペーサ部５２には、嵌込凸部５４を挟んで一対の係止ピン５５が立設している。
【００３３】
把持部５６は、平面視で略長方形状に形成され、スペーサ部５２の外周壁５３内に嵌め込まれている。把持部５６の中心部には、貫通孔５６ａが形成されている。貫通孔５６ａは、締結ボルト５８を締め付けたときに、締結ボルト５８の先端部が貫通孔５６ａを貫通することで、把持部５６に干渉するのを避けるためのものである。
【００３４】
図６に示すように、把持部５６の下面には、スペーサ部５２の係止ピン５５に対応して、一対の係止孔５７が形成されている。係止孔５７に係止ピン５５を嵌め込むことで、ユーザーが把持部５６を把持して回転させたときに、スペーサ部５２が連動して回転し、嵌込凸部５４に嵌め込まれた締結ボルト５８が締め付けられるようになっている。
【００３５】
把持部５６の上面は、スペーサ部５２の外周壁５３のテーパー形状に沿って連続するように、湾曲した形状に形成されている。これにより、関節部材５０の表面が滑らかな円弧状に形成されているので、ダンボール製マネキン１０にシャツ１を着せる際に、シャツ１が関節部材５０に引っ掛かり難くなり、生地を傷めるおそれが軽減される。
【００３６】
なお、関節部材５０は、この形態に限定するものではなく、例えば、スペーサ部５２に相当する接触面積を有するスペーサを、締結ボルト５８及び締結ナット５９で締結するようにしても構わない。
【００３７】
〈土台について〉
図８及び図９に示すように、土台６０は、ダンボールで構成された底板６１と、底板６１から上方に延びて支柱１５の下端部が差し込まれる差込口６２ａが形成された筒状体６２と、底板６１の外周部に間隔をあけて配設され、底板６１を所定の高さ位置に支持する複数の支持脚６３とを有する。
【００３８】
底板６１は、複数のダンボール板６４が積層されて構成されている。本実施形態では、４枚のダンボール板６４を積層させることで、底板６１の厚み方向の剛性を高めるようにしている。
【００３９】
図１０に示すように、ダンボール板６４は、波の高さが異なる２つの中芯６４ａを貼り合わせた構造となっており、剛性が高くなっている。また、４枚のダンボール板６４は、ダンボール板６４の中芯６４ａの延伸方向が交互に直交するように積層されている。これにより、積層されたダンボール板６４の中芯６４ａが互いを補強し合う補強リブとして機能することとなり、底板６１の厚み方向の剛性を高めることができる。
【００４０】
図９に示すように、４枚のダンボール板６４のうち、最下部の１枚を除く上３枚のダンボール板６４の中心部には、四角形状の嵌込孔６１ａが形成されている（図１１も参照）。筒状体６２は、ダンボールを四角筒状に屈曲させることで形成され、嵌込孔６１ａに嵌め込まれている（図１２も参照）。
【００４１】
底板６１の四隅には、切欠溝６１ｂが形成されている。切欠溝６１ｂには、支持脚６３が嵌め込まれている。支持脚６３は、１枚のダンボールを２つ折りすることで、底板６１側が開口する断面凹状の板状のダンボールで構成されている（図１１参照）。
【００４２】
底板６１は、４つの支持脚６３によって、所定の高さ位置に支持される。これにより、ダンボール製の底板６１が床面に密着しなくなり、通気性が良くなる。その結果、土台６０が湿気を吸収して変形するのを抑えることができる。
【００４３】
底板６１の下面には、筒状体６２に対応する位置に補強部材６５が設けられている（図１２も参照）。本実施形態では、補強部材６５は、３枚のダンボール板６４が積層されて構成されている。補強部材６５の厚みは、底板６１が支持脚６３で支持されている高さと略同じとなるように設定している。これにより、筒状体６２の差込口６２ａに支柱１５を差し込んだときの衝撃を、補強部材６５を介して床面で受けることができ、底板６１の変形をより確実に抑えることができる。
【００４４】
〈足パーツについて〉
図１３に示すように、足パーツ４３は、１枚のダンボール板６４の左右両側を折り曲げることによって立体的に形成され、靴３を履かせることが可能となっている。足パーツ４３には、関節部材５０の締結ボルト５８を挿通させる関節孔１１が形成されている。
【００４５】
下腿パーツ４２の下端部には、関節部材５０の締結ボルト５８を挿通させる関節孔１１と、関節孔１１と同心で且つ関節部材５０の外周縁の上半分に沿って円弧状に切り欠かれた円弧溝４２ａとが形成されている。なお、下腿パーツ４２における円弧溝４２ａの両端部から左右方向の外方に延びる山折り線４２ｂ（図１３に一点鎖線で記載）は、足パーツ４３を上下方向に揺動させるために折り曲げる部分である。
【００４６】
具体的に、図１４及び図１５に示すように、足パーツ４３と下腿パーツ４２とを関節部材５０で挟持した状態で、足パーツ４３の先端部を斜め下方に引っ張ることで、下腿パーツ４２における円弧溝４２ａの周辺が、山折り線４２ｂに沿って屈曲して、足パーツ４３が下腿パーツ４２よりも前方に突出することとなる。このように、下腿パーツ４２の一部が折り曲げられることで、足パーツ４３が上下方向に揺動可能となっている。
【００４７】
また、図１６に示すように、足パーツ４３と下腿パーツ４２とが関節部材５０によって挟持されているから、足パーツ４３は、関節部材５０の締結ボルト５８を中心に左右方向に回動可能となっている。これにより、足パーツ４３に靴３を履かせた状態で、足パーツ４３を左右方向や上下方向に動かして、靴３を自由な方向に向けて展示することができる。
【００４８】
〈頭パーツについて〉
図１７に示すように、胴体パーツ２０には、胴体パーツ２０の上縁部から背面側に折り返された折り返し部２２が一体形成されている。そして、胴体パーツ２０と折り返し部２２との境界部分における左右方向の略中央位置には、左右方向に延びるスリット２３が形成されている。胴体パーツ２０は、ダンボールで構成されているので、例えば、胴体パーツ２０の胸元にネックレスの画像をプリントすることで、ディスプレイの表現の幅を広げることができる。
【００４９】
胴体パーツ２０の肩部２１及び折り返し部２２には、関節部材５０の締結ボルト５８を挿通させる関節孔１１が形成されている。胴体パーツ２０と折り返し部２２とは、正面視で重なり合っており、肩部２１周辺の剛性を高めることができる。また、折り返し部２２の左右方向の略中央位置には、ピン孔１２が形成されている。
【００５０】
頭パーツ３０は、顔部３１と、顔部３１に一体形成されて下方に延びる首部３２とを有する。頭パーツ３０は、ダンボールで構成されているので、顔部３１に任意の顔をプリントすることで、様々な表情を表現することができる。首部３２は、厚みを増やして剛性を確保するために、顔部３１から下方に延びる部分を２つ折りにすることで、２枚分のダンボールの厚みを有する。首部３２には、折り返し部２２のピン孔１２に対応してピン孔１２が形成されている。
【００５１】
図１８に示すように、頭パーツ３０の首部３２は、胴体パーツ２０と折り返し部２２との境界位置のスリット２３に差し込まれることで、胴体パーツ２０と折り返し部２２との間で左右方向に揺動可能となっている。なお、首部３２のピン孔１２と、胴体パーツ２０及び折り返し部２２のピン孔１２にピンを差し込んで揺動中心としてもよいが、本実施形態では、ピンを差し込まないで使用している。
【００５２】
図１９及び図２０に示すように、上腕パーツ３６の基端部は、胴体パーツ２０と折り返し部２２との間に配置されている。そして、上腕パーツ３６は、胴体パーツ２０及び折り返し部２２とともに関節部材５０によって挟持されるとともに、回動可能に支持されている。
【００５３】
このとき、頭パーツ３０は、スリット２３に差し込まれて胴体パーツ２０と折り返し部２２との間に挟み込まれているが、頭パーツ３０の首部３２の厚みが大きい分、折り返し部２２が弾性変形することで、胴体パーツ２０と折り返し部２２との間で保持力が発生している。
【００５４】
これにより、頭パーツ３０を固定するための部品を別途設ける必要が無く、また、頭パーツ３０の首部３２を自由に傾けるとともに、任意の傾斜角度のまま頭パーツ３０を保持することができる。そして、頭パーツ３０を左右方向に傾けることで、首をかしげたような表情の他、人間の様々な表情や仕草などを表現することができる。
【００５５】
〈支柱受け部材について〉
図２１に示すように、胴体パーツ２０の腰部２５には、胴体パーツ２０よりも左右方向に突出する係止部２６が設けられている。係止部２６は、斜め上方に傾斜して延びるフック形状に形成されている。そのため、ダンボール製マネキン１０にズボン２を履かせる際に、腰部２５辺りまでズボン２を持ち上げた後で係止部２６にズボン２を引っ掛けて仮置きして、その後、図示しないクリップ等でズボン２を固定するようにすれば、ズボン２がずり落ちることなく、作業性が向上する。
【００５６】
胴体パーツ２０の腰部２５には、支柱１５の上端部を受ける支柱受け部材１６が取り付けられている。支柱受け部材１６は、胴体パーツ２０の背面に密着して取り付けられる受け部１７と、受け部１７から左右方向に延びるフランジ部１８とを有する。図２２にも示すように、支柱受け部材１６は、１枚のダンボール板６４を屈曲することで構成され、受け部１７とフランジ部１８とが一体に形成されている。
【００５７】
受け部１７は、角筒状の部材で構成されており、下方に開口して支柱１５の上端部が嵌め込まれる嵌込口１７ａが形成されている。フランジ部１８には、関節部材５０の締結ボルト５８を挿通する関節孔１１が形成されている。
【００５８】
図２３及び図２４に示すように、フランジ部１８は、胴体パーツ２０の腰部２５の背面側に配置され、胴体パーツ２０及び下肢パーツ４０とともに、関節部材５０によって挟持されている。
【００５９】
このように、支柱受け部材１６を胴体パーツ２０に取り付けるための取付部材として関節部材５０を兼用することで、部品点数を削減することができる。なお、接着剤を用いて、胴体パーツ２０に直接貼り付けるようにしても構わない。
【００６０】
支柱受け部材１６の受け部１７は、胴体パーツ２０の左右方向の中央位置から右側に向かって所定の距離Ｓだけ離れた位置に配置されている。そのため、受け部１７の嵌込孔６１ａに支柱１５を嵌め込むと、支柱１５は、胴体パーツ２０の中央位置から距離Ｓだけ右側に離れた位置、つまり、右側の下腿パーツ４２に対して、正面視で支柱１５の一部が重なり合う位置で上下方向に延びることとなる。
【００６１】
これにより、ダンボール製マネキン１０にズボン２を履かせる際に、下肢パーツ４０とともに支柱１５をズボン２に挿通させることができる。そのため、展示用のズボン２の股部分に挿通孔をあけることなく、ダンボール製マネキン１０を支柱で支持することができる。
【００６２】
また、支柱１５は、軸方向から見て円柱状の部材で構成されている一方、受け部１７は、軸方向から見て支柱１５の外径よりも小さな内径の角筒状の部材で構成されている。これにより、支柱１５の上端部を受け部１７の嵌込口１７ａに嵌め込む際に、受け部１７の筒壁部分が支柱１５の円形部分に沿って弾性変形するので、受け部１７の復元力によって支柱１５をしっかりと保持することができる（図２３参照）。
【００６３】
〈運搬ケースについて〉
図２５に示すように、ダンボール製マネキン１０は、胴体パーツ２０、頭パーツ３０、支柱１５、及び土台６０に分解可能となっている。そして、胴体パーツ２０に取り付けられている上肢パーツ３５及び下肢パーツ４０を、関節部材５０を中心に折り畳むことでコンパクトな形状とすることができる。これにより、ダンボール製マネキン１０が持ち運び易くなる。ダンボール製マネキン１０を持ち運ぶ際には、ダンボールで構成された運搬ケース７０に収納するようにしている。
【００６４】
運搬ケース７０は、ダンボール製マネキン１０との素材の統一感を得るとともに軽量化を図るために、ダンボールで構成されている。運搬ケース７０は、支柱１５が収納可能な長さに設定された直方体形状の箱体７１と、箱体７１に一体形成された蓋体７２と、箱体７１の右側に取り付けられた取っ手７３とを有する。
【００６５】
図２５では、支柱１５は、箱体７１内の左側寄りの位置に収納されている。折り畳まれた胴体パーツ２０と土台６０とは、箱体７１内で前後方向に並ぶように収納されている。
【００６６】
蓋体７２の左縁部には、２つの係合片７４が一体形成されている。箱体７１の右縁部には、２つの係合孔７５が形成されている。箱体７１の前縁部及び後縁部には、折り返し片７６が一体形成されている。
【００６７】
そして、ダンボール製マネキン１０を箱体７１内に収納した後、折り返し片７６を折り返すとともに、蓋体７２を折り曲げて、係合片７４を係合孔７５に係合させることで、蓋体７２を閉じることができる。
【００６８】
なお、運搬ケース７０の大きさは、支柱１５の全長に依存するため、例えば、支柱１５を二分割可能な構成とし、支柱１５同士を連結するジョイント部材によって、設置現場で支柱１５を繋ぐようにすれば、運搬ケース７０をコンパクトな構成とすることができる。
【００６９】
〈本実施形態の効果〉
以上のように、本実施形態に係るダンボール製マネキン１０によれば、胴体パーツ２０と折り返し部２２との境界部分にスリット２３を形成し、頭パーツ３０の首部３２をスリット２３に差し込むことで、左右方向に揺動可能に挟持するようにしたから、頭パーツ３０を左右方向に傾けることで、首をかしげたような表情の他、人間の様々な表情や仕草などを表現することができる。
【００７０】
《実施形態２》
図２６は、本実施形態２に係る胴体パーツ、頭パーツ、及び支柱受け部材の展開図である。以下、前記実施形態１と同じ部分については同じ符号を付し、相違点についてのみ説明する。
【００７１】
図２６及び図２７示すように、胴体パーツ２０には、胴体パーツ２０の上縁部から背面側に折り返された折り返し部２２が一体形成されている。胴体パーツ２０における肩部２１と腰部２５との間には、左右両側に広がるように延びる左右一対の補強梁部２８が一体形成されている。補強梁部２８を背面側に折り返すことで、胴体パーツ２０の左右両側の厚みが、胸部から腹部にかけてダンボール２枚分となる。これにより、胴体パーツ２０の剛性を高めるとともに、胴体パーツ２０の前後方向の倒れ込みや反りを抑えることができる。
【００７２】
頭パーツ３０は、顔部３１と、顔部３１に一体形成されて下方に延びる首部３２とを有する。首部３２は、左右両側に広がるように延びており、この広がり部分を２つ折りにすることで、首部３２の厚みがダンボール２枚分となる。これにより、厚みを増やして剛性を確保することができる。
【００７３】
また、首部３２の折り返し部分を左右両側に広がるように延ばした構成とすることで、首部３２を顔部３１から下方に長尺状に延ばして２つ折りにする場合に比べて、１枚のダンボール板から頭パーツ３０を切り取った後で無駄になる廃棄面積を小さくすることができる。
【００７４】
首部３２には、折り返し部２２のピン孔１２に対応してピン孔１２が形成されている。首部３２の左右両端縁には、２つ折りにしたときにピン孔１２に重なり合わないように湾曲状の切欠きが形成されている。
【００７５】
胴体パーツ２０の腰部２５には、支柱１５の上端部を受ける支柱受け部材１６が取り付けられている。支柱受け部材１６は、胴体パーツ２０の背面に密着して取り付けられる受け部１７と、受け部１７から左右方向に延びるフランジ部１８とを有する。支柱受け部材１６は、胴体パーツ２０の腰部２５の背面全体を覆う大きさに形成されている。フランジ部１８には、胴体パーツ２０の腰部２５に設けられた係止部２６に対応して、同様の係止部２６が設けられている。
【００７６】
このように、支柱受け部材１６の受け部１７及びフランジ部１８を、胴体パーツ２０の腰部２５全体に重なり合うように構成することで、胴体パーツ２０の剛性を高めるとともに、胴体パーツ２０の反りを抑えることができる。
【００７７】
《その他の実施形態》
前記実施形態については、以下のような構成としてもよい。
【００７８】
本実施形態では、土台６０において、支柱１５の下端部が差し込まれる差込口６２ａが形成された筒状体６２を、底板６１の左右方向の中央位置に設けるようにしたが、この形態に限定するものではない。
【００７９】
例えば、筒状体６２を、胴体パーツ２０の中央位置から離れた支柱１５の距離Ｓと略同じ距離Ｓで、底板６１の左右方向の中央位置から右側に向かって離れた位置に設けるようにしてもよい。これにより、胴体パーツ２０の中央位置と土台６０の中央位置とを一致させて、胴体パーツ２０が土台６０からはみ出さないようにレイアウトすることができる。
【００８０】
また、本実施形態では、支柱受け部材１６を、胴体パーツ２０の腰部２５に取り付けているが、胴体パーツ２０の背中部分に取り付けるようにしてもよい。この場合には、支柱１５の受け位置が、腰部２５よりも高い位置にあるので、胴体パーツ２０が前方に倒れ込むのを抑えることができる。
【００８１】
また、本実施形態では、各パーツを板状のダンボールのままで構成しているが、特定の部位に厚みを持たせたい部分については、追加のパーツを設計して取り替えることも可能である。
【００８２】
例えば、バストを強調させたダンボール製マネキン１０を構成したい場合には、胴体パーツ２０の胸部分にパーツを追加することで対応可能である。また、頭パーツ３０に帽子５を被せる場合には、頭パーツ３０の頭部に厚みを持たせるようにすればよい。
【００８３】
このように、各パーツがダンボールで構成されたダンボール製マネキン１０であれば、ダンボールの打ち抜き型の費用は比較的安価であるため、各パーツの改善や追加の検討をしやすい。
【００８４】
また、ダンボール製マネキン１０は軽いため、支柱１５で支持する代わりに、天井から吊り下げて展示することも可能である。
【産業上の利用可能性】
【００８５】
以上説明したように、本発明は、複数の板状のパーツの取り付け構造を工夫することで、様々な表情やポーズを表現することができるという実用性の高い効果が得られることから、きわめて有用で産業上の利用可能性は高い。
【符号の説明】
【００８６】
１０    ダンボール製マネキン
２０    胴体パーツ
２２    折り返し部
２３    スリット
２５    腰部
３０    頭パーツ
３２    首部
３５    上肢パーツ
４０    下肢パーツ
４１    大腿パーツ
４２    下腿パーツ
４３    足パーツ
５０    関節部材
【図１】
2018064693.tif 000003
【図２】
2018064693.tif 000004
【図３】
2018064693.tif 000005
【図４】
2018064693.tif 000006
【図５】
2018064693.tif 000007
【図６】
2018064693.tif 000008
【図７】
2018064693.tif 000009
【図８】
2018064693.tif 000010
【図９】
2018064693.tif 000011
【図１０】
2018064693.tif 000012
【図１１】
2018064693.tif 000013
【図１２】
2018064693.tif 000014
【図１３】
2018064693.tif 000015
【図１４】
2018064693.tif 000016
【図１５】
2018064693.tif 000017
【図１６】
2018064693.tif 000018
【図１７】
2018064693.tif 000019
【図１８】
2018064693.tif 000020
【図１９】
2018064693.tif 000021
【図２０】
2018064693.tif 000022
【図２１】
2018064693.tif 000023
【図２２】
2018064693.tif 000024
【図２３】
2018064693.tif 000025
【図２４】
2018064693.tif 000026
【図２５】
2018064693.tif 000027
【図２６】
2018064693.tif 000028
【図２７】
2018064693.tif 000029